(57)【要約】【課題】被検体の透過像を表示するためのモニタの近辺に監視モニタを備えても被検体の目視確認の阻害程度を大きく抑制した画像診断装置及び被検体監視用モニタを提供することを課題とする。【解決手段】タッチパネルを用い、これに、被検体を透視撮影する際の一部操作項目のスイッチ機能及び被検体の体位を観察する監視モニタ機能の双方を取り入れた。これにより、監視モニタの機能は従来通り保持したままこれら両モニタの上端における高さを下げることができ、検査室を覗くための窓部の視認性を高められた。これは、視認性の悪さに伴う術者のストレス発生を抑制し集団検診において特に顕著な効果を奏する。【選択図】    図１
2004313390.tif 000002
【特許請求の範囲】
【請求項１】
被検体の透過像を撮影するための撮影手段とこの撮影手段を操作する遠隔操作手段とを備え、さらにこの遠隔操作手段に撮影時における被検体の体位を観察する監視モニタを備える画像診断装置において、
前記監視モニタは、被検体の体位表示及び前記遠隔操作手段における一部操作項目の操作の双方を可能としたことを特徴とする画像診断装置。
【請求項２】
前記監視モニタは、少なくとも映像情報やスイッチ情報を表示できかつ該スイッチ情報はタッチすることで操作し得るタッチモニタである請求項１記載の画像診断装置。
【請求項３】
前記撮影手段は、被検体を透過するＸ線を検出し画像化するＸ線透視撮影台であり、前記一部操作項目はこのＸ線透視撮影台におけるＸ線曝射条件である請求項１或いは請求項２いずれか１項に記載の画像診断装置。
【請求項４】
前記遠隔操作手段は前記Ｘ線透視撮影台とは異なる部屋に設置されることを特徴とする請求項３記載の画像診断装置。
【請求項５】
前記Ｘ線透視撮影台及び前記遠隔操作手段が設置される部屋の間に、Ｘ線を遮蔽し得る窓部が設けられることを特徴とする請求項４に記載の画像診断装置。
【請求項６】
前記画像診断装置は、走行可能な車両に搭載され集団検診に用いられることを特徴とする請求項１ないし請求項５のいずれか１項に記載の画像診断装置。
【請求項７】
被検体の透過像を撮影する際に用いられ該被検体の外観を観察する被検体監視用モニタであって、
前記被検体の外観の表示と共に、前記透過像撮影の際に必要な操作項目を設定するためのスイッチを表示することを特徴とする被検体監視用モニタ。
【請求項８】
前記操作項目は、前記透過像撮影を行なうＸ線透視撮影台におけるＸ線曝射条件である請求項７記載の被検体監視用モニタ。
【請求項９】
前記被検体監視用モニタは、少なくとも映像情報やスイッチ情報を表示できかつ該スイッチ情報はタッチすることで操作し得るタッチモニタである請求項７或いは請求項８いずれか１項に記載の被検体監視用モニタ。
【発明の詳細な説明】
【０００１】
【発明の属する技術分野】
本発明は、画像診断装置及びこの画像診断装置に用いる被検体監視用モニタに関するものであり、特に、例えば胃部集団検診用として好適な画像診断装置及び被検体患者監視用モニタに関する。
【０００２】
【従来の技術】
画像診断装置として、Ｘ線診断装置による胸部の集団検診は古くから行われている。近時、Ｘ線ＣＴ装置や磁気共鳴イージング装置（ＭＲＩ装置）のような、高度な画像診断装置が普及したのに伴ない、例えば、Ｘ線ＣＴ装置による肺癌検診や、ＭＲＩ装置による脳血管の検診も、集団検診の対象となりつつある。
一方、生活習慣病の集団検診の一つとして、上部消化管とくに胃部の集団検診が行われている。この胃部の集団検診は、病院施設で実施される他に、Ｘ線診断装置を搭載したバスなどの車両とともに医療スタッフを、被検体の集まり易い例えば公民館や学校などへ派遣して行われることも多い。（例えば、特許文献１参照）いずれにしても、検診部位が胃部であるという関係から、検査前の半日程度は、被検体に禁食を強いることになるので、通常、午前中の８時頃から１２時頃にかけて実施されることが多い。そして、その間の被検体の数は、７０人から８０人に達することも珍しくはない。そのため、この集団検診に携わる医療スタッフは、限られた時間内に多忙を極めることとなる。
ここで、Ｘ線診断装置をバスに搭載した検診車の一般的な構造を図５及び図６を用いて説明する。
【０００３】
バスＢの長さ方向中央部に検査室ＥＲがあり、ここには胃部造影検査を行なうためのＸ線透視撮影台１と胸部一般撮影を行なうためのＸ線撮影台２が設置されている。ここで、Ｘ線透視撮影台１は概略すると、起倒可能でかつフットレスト３ａを持つ寝台部３、Ｘ線管部４及びこれらを支える支持部５が検査室ＥＲに設置されており、この検査室ＥＲの一方の隣である第１の操作室ＯＲ１には遠隔操作卓６及びＸ線管部４に電力を供給するための制御部７が設置されている。そして、寝台部３に載置された被検体を透視或いは撮影する。なお、寝台部３の下部にはＸ線管部４から曝射されるＸ線を受け画像化するためのＸ線撮像部（イメージ・インテンシファイア／ＴＶカメラ、或いは平面検出器）が配置されている（図示省略）。
他方、Ｘ線撮影台２は概略すると、少なくとも上下動可能に支持されたＸ線管部８及びこのＸ線管部８から曝射されるＸ線を受けて撮影する撮影部９が検査室ＥＲに設置されており、撮影部９を両腕で抱えるように位置する被検体の胸部を撮影する。また、この検査室ＥＲの他方の隣である第２の操作室ＯＲ２には遠隔操作パネル１０が設置されている。なお、Ｘ線管部８への電力供給は、Ｘ線透視撮影台１と共用される制御部７によって行なわれる。
【０００４】
このような構成を有する検診車Ｂの第２の操作室ＯＲ２には出入り口があり、検査を受けようとする被検体は矢印１２の通り入室し、造影剤を飲むなどの透視撮影の準備を行って待機する。そして透視撮影の順番になれば被検体はドアＤ１を開けて検査室ＥＲへ入室し、立位状態の寝台部３に載って透視撮影を開始する。
ここで、第１の操作室ＯＲ１における遠隔操作卓６部分の配置を図６を用いて説明する。
車載ということで、天井Ｃ及び壁Ｗに囲まれた比較的狭い箇所に遠隔操作卓６は設置されており、検査室ＥＲとはＸ線を通さない隔壁Ｐで仕切られている。また、遠隔操作卓６は、寝台部３の長手方向の位置や起倒角度或いはＸ線絞りの開度等を設定するための第１の操作部１３と、曝射するＸ線の条件（ｍＡｓ値）や被検体とコミュニケートするインタフォンの作動を支持する等を操作するための第２の操作部１４を備えている。なお、この第２の操作部１４は、限られた広さのバス内であることからこの遠隔操作卓６の奥行き方向の長さをあまり取れず、また使いやすさを考慮して、第１の操作部１３と同一面に配列せずに、図６に示すように第１の操作部１３に対して上方へ立ち上がった面に配列する方式が多くとられている。この第２の操作部１４は、前面からの視認性及びスイッチ類の操作性を考慮し、一般的には第１の操作部に対し１０ｃｍ以上は立ち上がっている。この第２の操作部１４の上部には、Ｘ線管部４からの曝射Ｘ線により得られる透視像を表示する透視モニタ１５（１２〜１５インチ程度）が配置される。また、この透視モニタ１５の横に並設配置されるのは監視モニタ１６（１０〜１２インチ程度）であり、これは被検体の体位状態を監視するためのものでる。
【０００５】
ところで、胃部の集団検診においては、各被検体に対する撮影方向や撮影枚数がある程度標準化されている。例えば、Ｘ線診断装置の寝台を水平にして、寝台天板上に被検体を寝かせた状態（臥位）で、Ｘ線管とＸ線検出器とを被検体の周りに回動させたり、被検体の身体の向きを変えることによって、方向の異なる６枚のＸ線撮影を行い、最後に寝台を立位にした状態で１枚撮影して、合計７枚のＸ線撮影を行うものがある。これを７枚手法と称している。ちなみに、この７枚手法とは、１．腹臥位粘膜像（立位正面で透視台を倒し背臥位から腹臥位にして撮影する。或いは、腹臥位から左を下に、右の方から左に１回転して撮影する（変法１）。なおこの手法は、透視台を−１０〜−１５度逆傾斜させて前壁の粘膜像を撮影することを含む。）、２．立位充盈正面像（胃角部を十分充盈し、胃角を正面にして撮影する。）、３．背臥位二重造影第一斜位像（体位変換は２回で、幽門前庭部を中心に撮影する。或いは、立位充盈正面像を撮影後、発泡剤を服用させ、左側臥位で透視台を倒し、体位変換を２回行い、幽門前庭部を中心に撮影する（変法１）。或いは、変法２の場合で造影剤が十二指腸に流出して、十二指腸球部または幽門前庭部と重なった場合、約２０度透視台を立てて撮影する（変法２）。）、４．背臥位二重造影正面像（体位変換は１回で、胃角部を正面に、胃角部を中心に撮影する。）、５．背臥位二重造影第二斜位像（体位変換は１回で、胃体部を中心に撮影する。なお、この手法は透視台を２０度くらい逆傾斜させることを含む。）、６．腹臥位充盈像（胃角を中心に、十二指腸球部と下行脚も撮影する。）、７．半臥位二重造影第二斜位像（食道噴門部を椎体の左に移行させ、十二指腸球部が胃と重ならないところで撮影する。ただしこの手法は、十二指腸球部が不明な場合のみ追加する。）からなる。
【０００６】
これら７種の画像を撮影するために、第１の操作室ＯＲ１にいる術者は、バリウム等の造影剤を飲んだ被検体の胃部における透視像を遠隔操作卓６上の透視モニタ１５で見ながら、胃壁内をバリウムがうまく行きわたるように被検体の身体の方向や位置を、マイクを用いて音声で指示したり、或いは被検体が寝ている寝台の起倒角度や天板位置をこまめに移動させながら撮影を進める。その際、バリウムが胃壁内にうまく行きわたった一瞬のタイミングを逃さないために、術者は透視モニタ１５に表示されるＸ線透視像から目を離せない。そこで、監視モニタ１６が透視モニタ１５のすぐ横に設置され、視線の移動を最小限にするよう工夫されている。或いは、寝台部３が逆傾斜する透視態様の場合には窓部１７から見えるのは寝台部３の裏側であって被検体は見えないので、Ｘ線管部４を支持する支持部５の適切な位置に或いは検査室ＥＲの適切な位置に設置されたＴＶカメラ（図示せず）で被検体の体位状態を撮影し、これを監視モニタ１６に表示して被検体の体位観察に供するようになっている。
なお、監視モニタ１６に頼り切って体位観察を行なうわけではなく、被検体やＸ線透視撮影台１全体を見渡す上で、窓部１７を通しての目視観察は当然ながら欠かせない。
【０００７】
【特許文献１】
特開平２−１３１７５０号公報（第２−３頁、第１図−第４図）
【発明が解決しようとする課題】
しかしながら、上述した従来例においては、目視観察を行なうための窓部１７の面積の多くを遠隔操作卓６の第２の操作部１４上に位置した監視モニタ１６が立ちはだかり、窓部１７を通した目視確認を著しく阻害していた。そのために、術者は目視し難い場合は見える位置まで頭を移動させたり、場合によってはドアＤ２の窓部まで移動して確認するなど、検査効率の低下を招いていた。このことは、限られた時間内に多くの被検体を検査する必要のある集団検診においては、重大な問題であった。
本発明は、このような問題に鑑みなされたもので、被検体の透過像を表示するためのモニタの近辺に監視モニタを備えても被検体の目視確認の阻害程度を大きく抑制した画像診断装置及び被検体監視用モニタを提供することを目的或いは課題とする。
【０００８】
【課題を解決するための手段】
上述の課題を解決するため、請求項１に記載の発明は、被検体の透過像を撮影するための撮影手段とこの撮影手段を操作する遠隔操作手段とを備え、さらにこの遠隔操作手段に撮影時における被検体の体位を観察する監視モニタを備える画像診断装置において、前記監視モニタは、被検体の体位表示及び前記遠隔操作手段における一部操作項目の操作の双方を可能としたことを特徴とする。
また、請求項７に記載の発明は、被検体の透過像を撮影する際に用いられ該被検体の外観を観察する被検体監視用モニタであって、前記被検体の外観の表示と共に、前記透過像撮影の際に必要な操作項目を設定するためのスイッチを表示することを特徴とする。
【０００９】
【発明の実施の形態】
以下、本発明に係る一実施の形態について、図１ないし図３を参照して詳細に説明する。なお、従来例を示す図５、図６と同一の構成物に関しては同一符号を付し、説明は必要に応じ省略する。さらに、本発明における画像診断装置としては、Ｘ線透視撮影台やＸ線撮影台を始めとするＸ線診断装置の他、Ｘ線ＣＴ装置やＭＲＩ装置など種々の画像診断装置に適用されるものであるが、以下、主にＸ線透視撮影システムを対象とした実施の形態を説明するものとする。
図１は、本発明における画像診断装置の一実施例を示すブロック図である。図１において、符号１はＸ線透視撮影台であり、Ｘ線診断装置はこのＸ線透視撮影台１とともに各種の制御を行うための遠隔操作卓２０を有する。そして、遠隔操作卓２０には全体の制御を行うためのＣＰＵ２０１が設けられており、このＣＰＵ２０１には寝台部３の長手方向の位置や起倒角度或いはＸ線絞りの開度等を設定するための第１の操作部１３が接続されている。
また、遠隔操作卓２０には、Ｘ線管部４における曝射時の管電圧、管電流、曝射時間等を設定するための第２の操作部にあたるＲ／Ｆタッチパネル２１が接続されている。また、このＲ／Ｆタッチパネル２１には、被検体の外観の状態を撮影するために検査室ＥＲ内の適切な位置に設置されたＣＣＤカメラ２２からの出力信号が供給されるように接続されている。
【００１０】
なお、この第２の操作部２１は液晶を用いたタッチパネルで構成されており、Ｘ線条件（管電圧、管電流、曝射時間等）を設定するための各種スイッチが表示されて操作に供し、さらにＣＣＤカメラ２２から供給される画像信号により被検体の状態を示す画像が表示されて観察に供する。
Ｘ線透視撮影台１には被検者を載置するための寝台部３が設置されており、寝台部３の天板上に載置されている被検体を挟んでＸ線管部４とイメージ・インテンシファイア、光学系およびＣＣＤカメラ等を有するＸ線撮像部が配設されている。また、Ｘ線撮像部から得られた画像データは遠隔操作卓２０内のＣＣＵ（Ｃａｍｅｒａ  Ｃｏｎｔｒｏｌ  Ｕｎｉｔ）２０２から出力され、Ａ／Ｄ変換器２０３を介して画像処理部２０４で画像処理され、一旦、記憶手段である画像（フレーム）メモリ２０５に書き込まれ記憶される。そして、この画像メモリ２０５に記憶されたディジタル画像は逐次読み出され、Ｄ／Ａ変換器２０６にてＤ／Ａ変換されて透視モニタ１５に表示される。また、上記寝台部３の起倒動作はＣＰＵ２０１の制御下で寝台駆動制御部２０７により行われ、Ｘ線管部４の高電圧制御はＣＰＵ２０１の制御下で制御部７により行われる。
【００１１】
符号２はＸ線撮影台であり、Ｘ線撮影装置はこのＸ線撮影台２とともに各種の制御を行うためのＲタッチパネル２３を有する。そして、このＲタッチパネル２３からの指示に基づき、Ｘ線管部８の曝射制御をＣＰＵ１０１の制御下で制御部７により行なわれる。これによって、Ｒ／Ｆタッチパネル２１から或いはＲタッチパネル２３の一方から透視撮影若しくは撮影の指示入力があった場合、その指示信号をＣＰＵ２０１を介して他方へ伝達し、双方のタッチパネルの表示形態を変更するものである。
具体的には、Ｘ線透視撮影台１を用いた胃部透視撮影が終了し、次にＸ線撮影台２を用いた胸部一般撮影を行おうとする場合をまず説明する。この場合においては、Ｒ／Ｆタッチパネル２１には胃部透視撮影に係る表示モードが表示され、Ｒタッチパネル２３には「他方のパネル（Ｒ／Ｆタッチパネル）が動作中です。」旨の表示、及びＲタッチパネルを作動させるためのスイッチ表示がされている。そこで、Ｒ／Ｆタッチパネル２０１若しくはＲタッチパネル１０１のいずれかより胸部一般撮影を指示入力すれば、Ｒタッチパネル２３はそれまでの「他方のパネル（Ｒ／Ｆタッチパネル）が動作中です。」旨の表示、及びＲタッチパネルを作動させるためのスイッチ表示に係る表示モードから胸部一般撮影に係る表示モードに切り替わる。なお、Ｘ線撮影装置２は、この実施例では撮影部９として一般的なフィルムチェンジャーを用いるものとして説明する。したがって、画像データを扱う信号ラインは存在しない。
【００１２】
ここで、胃部透視撮影に係る表示モードと胸部一般撮影に係る表示モードについて具体的に説明する。
図２は胃部透視撮影に係る表示例を示し、図３は胸部一般撮影に係る表示例を示す。まず、胃部透視撮影においては、図２に示すようにその表示形態は大別して３つの領域に分けられる。第１に、管電圧、管電流及び曝射時間等を設定するＸ線条件設定部３００、第２に、胃部透視撮影或いは胸部一般撮影等の術式を選択する術式選択部３１０、第３にＣＣＤカメラ２２から供給される映像信号を受けて被検体の外観状態を表示する監視モニタ部３２０である。ここで、Ｘ線条件設定部３００における設定項目の一例として、管電圧（ｋＶ）、管電流（ｍＡ）、曝射時間（ｍＳ）、ＡＢＣ（Ａｕｔｏｍａｔｉｃ  Ｂｒｉｇｈｔｎｅｓｓ  Ｃｏｎｔｒｏｌ）のＯＮ／ＯＦＦ及びタイマーの時間（ｍｉｎ）を示しており、また術式選択部３１０の一例として透視撮影（Ｆ／Ｒ）か或いは撮影（Ｒ）かの２者択一形式を示している。
次に、胸部一般撮影においては、図３に示すように、概略としては胃部透視撮影の場合の表示形態における監視モニタ部３２０を除いた２つの表示領域、つまり管電圧、管電流及び曝射時間等を設定するＸ線条件設定部３３０及び胃部透視撮影或いは胸部一般撮影等の術式を選択する術式選択部３１０からなる。ここで、Ｘ線条件設定部３３０は、被検体の体格に応じてＸ線条件を選択するための体格補正用のスイッチ３０１（Ｌ，Ｍ，Ｓ）、及び胸部の前からなのか或いは横からなのか等の撮影方向を選択するスイッチ３０２（Ａ，Ｂ，Ｃ）を一例として示している。
【００１３】
次に、遠隔操作卓２０の第１の操作室ＯＲ１における配置について説明する。図４は、Ｘ線透視撮影台１の遠隔操作卓２０部分における構成及び第１の操作室ＯＲ１における該遠隔操作卓２０の配置を示すものであるが、従来例の遠隔操作卓６との違いは第２の操作部にある。すなわち、従来は第２の操作部が有していた操作項目を、本実施形態おける遠隔操作卓２０ではＲ／Ｆタッチパネル２１へ移したものである。
遠隔操作卓２０の上面には従来例と同じ第１の操作部１３を備え、ここで寝台部３の長手方向の位置や起倒角度或いはＸ線絞りの開度等を設定する。また、この第１の操作部１３の上方には従来と同一の透視モニタ１５が配置され、その横にはＲ／Ｆタッチパネル２１が配置される。なお、このＲ／Ｆタッチパネル２１は、胸部一般撮影用のＸ線撮影台２を操作するために第２の操作室ＯＲ２にも共通に配置されている。
次に、以上説明した本発明の一実施形態に係る画像診断装置の作用について、従来例の説明で用いた検診車を示す図５も含めて説明する。
［胃部透視撮影の場合］
検査を受けようとする被検者は、検診車Ｂの第２の操作室ＯＲ２における出入り口から矢印１２の通り入室し、造影剤を飲むなどの透視撮影の準備を行って待機する。そして透視撮影の順番になればその被検者はドアＤ１を開けて検査室ＥＲへ入室し、立位状態の寝台部３に載って透視撮影を開始の開始を待つ。
【００１４】
次に、術者は第１の操作室ＯＲ１の遠隔操作卓２０に配置されたＲ／Ｆタッチパネル２１を用い、まず術式選択部３１０にて胃部透視撮影の術式であるＲ／Ｆを選択する。すると、図２に示すように監視モニタ部３２０にはＣＣＤカメラ２２で撮影された被検体の外観状態の映像が表示される。なお、胃部透視撮影の術式の選択下においては、Ｒタッチパネル２３には「他方のパネル（Ｒ／Ｆタッチパネル）が動作中です。」旨の表示、及びＲタッチパネルを作動させるためのスイッチ表示がされている。次に、Ｘ線条件設定部３００にてＸ線の曝射条件である管電圧、管電流及び曝射時間等を設定する。
この設定の後、術者はＸ線曝射を指示して透視撮影の術式が始まる。この術式中術者は、透視モニタ１５に表示される透視像を見ながら前述の胃部撮影における７枚手法を念頭におきながら、被検体に所望とする体位となるよう音声等で告げ、或いは第１の操作部１３によって寝台３の傾斜角度を適宜変えながら胃部の造影具合が良好な瞬間を見出し、その都度撮影を行っていく。この中で、７枚手法に係る画像を適切に得るために、術者は被検体に対して「右回りに右方向を向いて」とか「ゆっくりと右回りで左方向を向いて」などいろいろと体位変更を指示するが、術者は、被検体がその指示通りに体位を変更しているかどうかを窓部１７から或いはＲ／Ｆタッチパネル２１内の監視モニタ部３２０から観察しながら、順次透視撮影術式を進めていく。
【００１５】
ここで、従来であれば、第１の操作部に対し１０ｃｍ以上は立ち上がって形成された第２の操作部１４上に透視モニタ１５及び監視モニタ１６が設置されていたために、窓部１７はこれら各モニタによってかなりの部分を覆われ、被検体の体位を確認する視認行為の妨げになっていた。しかしながら、上述した本実施形態のごとく、第２の操作部の機能と監視モニタの機能をＲ／Ｆタッチパネル２１に集約したことにより、これら両モニタの上端における高さを第２の操作部における高さ分である少なくとも１０ｃｍ程度は下げることができた。しかも、監視モニタの機能は従来通り保持したままである。さらに、従来の監視モニタに比較してタッチパネルは一般的に小型のものが多いので、窓部１７からの視認行為は非常に良好である。
これによって、術者は、目視し難い場合は見える位置まで頭を移動させたり、場合によってはドアＤ２の窓部まで移動して確認するなどの行為を行わずとも十分に目視ができ、検査効率への支障はかなり低減された。これで、限られた時間内に多くの被検体を検査する必要のある集団検診において、大きな効果を奏している。さらにこの効果は、本件画像診断装置が搭載される車両が小型であればある程、スペース効率の観点から特に顕著となろう。
【００１６】
［胸部一般撮影の場合］
胸部一般撮影の場合も胃部透視撮影の場合と同様に、検査を受けようとする被検者は、検診車Ｂの第２の操作室ＯＲ２における出入り口から矢印１２の通り入室し撮影の準備を行って待機する。そして撮影の順番になればその被検者はドアＤ１を開けて検査室ＥＲへ入室し、Ｘ線撮影台２における撮影部９の前に立ち、この撮影部９を両腕で抱えるようにして静止しする。
このとき術者は、第２の操作室ＯＲ２のＲタッチパネル２３を用い、胃部透視撮影の際中に表示のＲタッチパネルを作動させるためのスイッチをタッチする。すると、図３に示すように、Ｘ線条件設定部３００のみが表示され、監視モニタ部３２０は表示されない。これは、胸部一般撮影の場合はＸ線の１回曝射による撮影で終了するので、監視モニタは不要となるからである。また、１回の撮影で終了するのが通常であること、及び検査を受ける人数が所定年齢以上に限定されている胃部透視撮影に比較して格段に多いことから、条件設定ミスによる撮影失敗及び撮りなおしは極力防止されねばならない。
この点を考慮して、胸部一般撮影におけるタッチパネル上の表示形態は、単に監視モニタ部３２０を削除するだけにとどまらず、Ｘ線条件をより詳細に設定できるように、たとえば被検体の体格の大小選択部３０１や撮影方向選択部３０２も表示され選択に供するよう構成されている。この表示形態は一例であって、さらに詳細な条件を設定可能にアレンジされてもよい。
【００１７】
なお、この表示形態の際は、Ｒ／Ｆタッチパネル２１側は「他方のパネル（Ｒ／Ｆタッチパネル）が動作中です。」旨の表示、及びＲ／Ｆタッチパネルを作動させるためのスイッチ表示がされている。
次に、このＸ線条件設定部３００にてＸ線の曝射条件である管電圧、管電流及び曝射時間等を設定する。この設定の後、術者はＸ線曝射を指示して撮影を行う。
以上のように、この実施形態によれば、検査室ＥＲを覗くための窓部の視認性を高めるよう遠隔操作卓及び各モニタを構成したので、Ｘ線透視を行いながら被検体に体位の変更を順次指示するような場合の検査効率を向上させることができる。したがって、視認性の悪さに伴う術者のストレス発生を抑制し集団検診において特に顕著な効果を奏する。
また、検診車に胸部一般撮影及び胃部透視撮影の双方の画像診断装置を搭載した場合、その撮影術式によってそれぞれの術式の要求に応えるようタッチパネル上の表示形態を変更するようにした。これによって、胸部一般撮影及び胃部透視撮影の双方にとって最適な状態で検査を行うことができ、これも検査効率向上に大きく寄与するものである。
また、それぞれの操作室におけるタッチパネルの表示内容を共通にすることにより、現在、どちらの検査が行われているかがどちらの部屋においても確認できることから、例えば胃部透視撮影の最中に誤って胸部一般撮影に取り掛かろうとすることも生じ得ないという効果もある。
【００１８】
さらに、スイッチ機能とモニタ機能を兼用するようにした被検体監視用モニタとしたため、非常に小型化でき、周辺機器の配置上の自由度を向上させることができる。
なお、本発明は上記実施形態に限定されるものではなく、その要旨を逸脱しない範囲で種々変形して実施することが可能である。
例えば、上記実施形態では画像診断装置としてＸ線診断装置やＸ線撮影装置を例に説明したが、これに限ることなく、例えばＸ線ＣＴ装置やＭＲＩ装置などにおいても適用できる。
また、胃部透視撮影を選択した場合、上記実施形態では監視モニタ部は右側に表示される例を示したが、左側に表示するなど表示レイアウトは任意に変更できる。これは、検査室ＥＲを覗く窓部或いは透視モニタとの位置関係から、視線移動をできるだけ少なくする位置にすることが肝要である。
【００１９】
【発明の効果】
以上詳細に説明したように、請求項１記載の本発明における画像診断装置によれば、被検体の透過像を表示するためのモニタの近辺に監視モニタを備えても被検体の目視確認の阻害程度を大きく抑制することができる。
また、請求項７記載の本発明における被検体監視用モニタによれば、スイッチ機能とモニタ機能を兼用するようにしたため、周辺機器との配置上の自由度を向上させることができる。
【図面の簡単な説明】
【図１】本発明の一実施形態における画像診断装置を示すブロック図である。
【図２】本発明の一実施形態に係り、タッチパネルの表示形態であって胃部透視撮影を選択した場合を示す図である。
【図３】本発明の一実施形態に係り、タッチパネルの表示形態であって胸部一般撮影を選択した場合を示す図である。
【図４】本発明の一実施形態に係り、操作室における遠隔操作卓部分の配置を示す図である。
【図５】Ｘ線診断装置を搭載した検診車の一般的な構造を示す図である。
【図６】従来の検診車の操作室における遠隔操作卓部分の配置を示す図である。
【符号の説明】
１    Ｘ線透視撮影台
２０    遠隔操作卓
２１    Ｒ／Ｆタッチモニタ
２２    ＣＣＤカメラ
２３    Ｒタッチモニタ
【図１】
2004313390.tif 000003
【図２】
2004313390.tif 000004
【図３】
2004313390.tif 000005
【図４】
2004313390.tif 000006
【図５】
2004313390.tif 000007
【図６】
2004313390.tif 000008